(57)【要約】      （修正有）【課題】定位置に高度調節可能な正座椅子の構造の提供。【解決手段】正座椅子を裏返して置き、そのクッション１０底部に設置されたフックプレート２０に数対の間隔をあけて設置されたフック２０１とバネ式止め具４０１は交差した可動座脚３０の座脚３０２横軸３０２ａを選択し挿入するのに提供される。またバネ式止め具４０１のＲ角が横軸３０２ａを定位置に固定することで、交差可動座脚３０が移動し脱落するのを防止するものである。【選択図】図６
0003130854.tif 000002
【実用新案登録請求の範囲】
【請求項１】
定位置に高度調節可能な正座椅子の構造において、その主要な特徴はクッション底部にフックプレートが固定され、その面前端の適当な位置に、プレス曲げで数対の間隔をあけて設置されたフックが設けられ、その形はほぼ直角に湾曲し、また別の一端には軸管が設けられ、交差した可動座脚の座脚横軸と結合するものである、またフックプレートの各対のフックの中間に、プレートをほぼ直角を呈するよう折り曲げ、またＲ角を伸ばすバネ式止め具を設ける、またフックプレート前端にバネストッパーを設置し、その両側を折り曲げてトップストッパーとするものである、その中の、バネ式止め具は両フックの間に位置し、そのフックとバネ式止め具が交差可動座脚の座脚横軸の挿入に提供されることで、位置が固定され移動しない、また各バネストッパー両側のトップストッパーは折り畳んで収納した交差可動座脚を定位置に固定するため提供されるものであることを特徴とする定位置に高度調節可能な正座椅子の構造。
【請求項２】
当該フックプレートに数対の間隔をあけて設置されたフックとバネ式止め具は、交差可動座脚の座脚横軸を選択し挿入するのに提供され、またバネ式止め具のＲ角で横軸を定位置に固定し、交差可動座脚が移動して脱落するのを防止するものであることを特徴とする請求項１記載の定位置に高度調節可能な正座椅子の構造。
【請求項３】
当該交差可動座脚の両座脚を互いに重ねて押し下げ、その座脚の両内側はバネストッパー両側のトップストッパーと互いにトップ位置で固定され収納されるものであることを特徴とする請求項１記載の定位置に高度調節可能な正座椅子の構造。
【考案の詳細な説明】
【技術分野】
【０００１】
定位置に高度調節可能な正座椅子の構造は、特に折り畳み可能で高度調節が定位置に固定できる正座椅子の構造を指す。
【背景技術】
【０００２】
一般の和室空間や仏事では、正座のため、主としてクッションを提供するが、その正座姿勢は両足に全身の重量を受けるため、よく両足が圧迫され、血液の循環不良をもたらし、痺れという不具合が起こる。
【０００３】
人体の座る姿勢について言うと、正座は人体の上半身にとり、比較的有益である。というのも、正座姿勢は人体の脊椎を自然にまっすぐに伸ばし、頭を起こして胸をそらさせ、腰痛や背中の痛みの悩みを改善することができる。また、気功とヨーガにおいても、ともに正座の姿勢と動作で上半身の姿勢を修正し、人体の機能を正常にしスムーズにさせて、健康の目的を達成することができる。このことから正座姿勢は人体にとり有益な姿勢であることがわかる。
【０００４】
しかし、その正座姿勢は、前記したように、両足で直接全身の重量を支えるので、両足が長時間圧迫され、下半身の血液循環にとり比較的よくなく、不具合を感じやすい。
【０００５】
そこで、考案者は人々が正座することで、自分で上半身の姿勢不良を修正して、その腰痛や背中の痛みの苦しみを改善するため、長時間正座しても、直接両足を圧迫して血液循環に影響しないで、上半身の姿勢不良を改善する目的を達成するにはどうすれば良いか考え続けた。
【０００６】
考案者は数回の研究と実験を経て、ついに簡単で実用的な正座椅子構造を開発した。その正座椅子は直接全身の重量を支え、正確な正座姿勢を変える必要がなく、両足が圧迫されて血液循環不良の苦痛が起こるのを防止することができ、長時間の正座姿勢で上半身の姿勢不良の改善効果が達成できるものである。
【考案の開示】
【考案が解決しようとする課題】
【０００７】
定位置に高度調節可能な正座椅子の構造は、特に折り畳み可能で高度調節が定位置に固定できる正座椅子の構造を指し、クッション下方にフックプレートが固定され、その面前端の適当な位置に、プレス曲げで数対の間隔をあけて設置されたフックが設けられ、その形はほぼ直角に湾曲し、また別の一端には軸管が設けられ、交差した可動座脚と結合するものである。また、フックプレートの各対のフックの中間に、プレートをほぼ直角を呈するよう折り曲げ、またＲ角を伸ばすバネ式止め具を設ける。またフックプレート前端にバネストッパーを設置し、その両側を折り曲げてトップストッパーとするものである。その中の、バネ式止め具は両フックの間に位置し、そのフックとバネ式止め具が交差可動座脚を定位置に固定することで移動しない。またバネストッパー両側のトップストッパーは折り畳んで収納した交差可動座脚を定位置に固定するため提供されるものである。
【課題を解決するための手段】
【０００８】
請求項１の考案は、定位置に高度調節可能な正座椅子の構造において、その主要な特徴はクッション底部にフックプレートが固定され、その面前端の適当な位置に、プレス曲げで数対の間隔をあけて設置されたフックが設けられ、その形はほぼ直角に湾曲し、また別の一端には軸管が設けられ、交差した可動座脚の座脚横軸と結合するものである、またフックプレートの各対のフックの中間に、プレートをほぼ直角を呈するよう折り曲げ、またＲ角を伸ばすバネ式止め具を設ける、またフックプレート前端にバネストッパーを設置し、その両側を折り曲げてトップストッパーとするものである、その中の、バネ式止め具は両フックの間に位置し、そのフックとバネ式止め具が交差可動座脚の座脚横軸の挿入に提供されることで、位置が固定され移動しない、また各バネストッパー両側のトップストッパーは折り畳んで収納した交差可動座脚を定位置に固定するため提供されるものであることを特徴とする定位置に高度調節可能な正座椅子の構造としている。
請求項２の考案は、当該フックプレートに数対の間隔をあけて設置されたフックとバネ式止め具は、交差可動座脚の座脚横軸を選択し挿入するのに提供され、またバネ式止め具のＲ角で横軸を定位置に固定し、交差可動座脚が移動して脱落するのを防止するものであることを特徴とする請求項１記載の定位置に高度調節可能な正座椅子の構造としている。
請求項３の考案は、当該交差可動座脚の両座脚を互いに重ねて押し下げ、その座脚の両内側はバネストッパー両側のトップストッパーと互いにトップ位置で固定され収納されるものであることを特徴とする請求項１記載の定位置に高度調節可能な正座椅子の構造としている。
【考案の効果】
【０００９】
本考案の定位置に高度調節可能な正座椅子の構造は直接全身の重量を支え、正確な正座姿勢を変える必要がなく、両足が圧迫されて血液循環不良の苦痛が起こるのを防止することができ、長時間の正座姿勢で上半身の姿勢不良の改善効果が達成できるものである。
【考案を実施するための最良の形態】
【００１０】
本考案は定位置に高度調節可能な正座椅子の構造の概略図で、クッション１０(別途図１、図４参照)底部にフックプレート２０が固定され、その面前端の適当な位置に、プレス曲げで数対の間隔をあけて設置されたフック２０１が設けられ、その形はほぼ直角に湾曲し、また別の一端には軸管２０２が設けられ、交差した可動座脚３０の座脚３０１横軸３０１ａと結合するものである。(別途図３、図５参照)また、フックプレート２０の各対のフック２０１の中間に、プレートをほぼ直角を呈するよう折り曲げ、またＲ角を伸ばすバネ式止め具４０１を設ける。また(図２参照)フックプレート２０前端にバネストッパー４０を設置し、その両側を折り曲げてトップストッパー４０２とするものである。その中の、バネ式止め具４０１は両フック２０１の間に位置し、そのフック２０１とバネ式止め具４０１が交差可動座脚３０の座脚３０２横軸３０２ａ(図１参照)の挿入に提供されることで、定位置に固定され移動しない。またバネストッパー４０両側のトップストッパー４０２は折り畳んで収納した交差可動座脚３０を定位置に固定するため提供されるものである。
【００１１】
図６は本考案の定位置に高度調節可能な正座椅子の構造の高度調節動作の概略図である。図に示すように、正座椅子を裏返して置き、そのクッション１０底部に設置されたフックプレート２０に数対の間隔をあけて設置されたフック２０１とバネ式止め具４０１は交差した可動座脚３０の座脚３０２横軸３０２ａを選択し挿入するのに提供される。(図１参照)またバネ式止め具４０１のＲ角が横軸３０２ａを定位置に固定することで、交差可動座脚３０が移動し脱落するのを防止するものである。
【００１２】
その中で、フックプレート２０の数対の間隔をあけて設置されたフック２０１とバネ式止め具４０１は、交差可動座脚３０の座脚３０２横軸３０２ａを選択して挿入し固定するのに提供され、(別途図７、図９参照)異なる高度に調節ができる正座椅子を形成し、使用者の正座に提供される。
【００１３】
図８は、本考案の定位置に高度調節可能な正座椅子の構造の折り畳み収納動作の概略図である。図に示すように、本考案の正座椅子を折り畳んで収納したい時は、交差した可動座脚３０の両座脚３０１、３０２を互いに重ねて押し下げる。その中で、座脚３０１の両内側はバネストッパー４０両側のトップストッパー４０２と互いにトップ位置で固定され、最小体積を形成し、収納と携帯に便利であるという効果があるものである。
【００１４】
図９は本考案の定位置に高度調節可能な正座椅子の構造を使用者の正座に提供した簡易概略図である。図に示すように、本考案の正座椅子は前記の方式で適当な高さに調節して使用者に提供され、その正座椅子は直接全身の重量を受けることができ、正確な正座姿勢を変える必要がなく、両足が圧迫されて起こる血液循環不良の苦痛を防止することができ、長時間正座することで上半身の姿勢不良の改善効果が達成できるものである。
【００１５】
これにより、本考案の構造が予設の効果を確かに達成できることが証明される。
【図面の簡単な説明】
【００１６】
【図１】本考案の定位置に高度調節可能な正座椅子の構造概略図の局部の立体断面図である。
【図２】本考案のバネストッパーの立体図である。
【図３】本考案のバネ式止め具の立体図である。
【図４】本考案のフックプレートの立体図である。
【図５】本考案のバネストッパーとフックプレートが互いに結合した立体分解図である。
【図６】本考案の定位置に高度調節可能な正座椅子の構造概略図の高度調節動作の概略図である。
【図７】本考案の正座椅子を調節し異なる高さが形成される立体図である。
【図８】本考案の定位置に高度調節可能な正座椅子の構造概略図の折り畳み収納動作の概略図である。
【図９】本考案の定位置に高度調節可能な正座椅子の構造概略図を使用者の正座に提供した簡易概略図である。
【符号の説明】
【００１７】
１０  クッション
２０  フックプレート
３０  交差した可動座脚
４０  バネストッパー
２０１  フック
２０２  軸管
３０１、３０２  座脚
３０１ａ、３０２ａ  横軸
４０１  バネ式止め具
４０２  トップストッパー
【図１】
0003130854.tif 000003
【図２】
0003130854.tif 000004
【図３】
0003130854.tif 000005
【図４】
0003130854.tif 000006
【図５】
0003130854.tif 000007
【図６】
0003130854.tif 000008
【図７】
0003130854.tif 000009
【図８】
0003130854.tif 000010
【図９】
0003130854.tif 000011